(57)【要約】【課題】簡単な操作で、撮影した画像を待受画面からすぐに閲覧することを可能とすること。【解決手段】機能が対応付けられたオブジェクトを標準画面に重畳して表示する表示手段と、画像を撮影する撮影手段と、表示手段に表示されたオブジェクトが選択された際、当該選択されたオブジェクトに対応付けられた機能を実行する制御手段と、を有し、制御手段は、撮影手段によって画像が撮影されると、当該画像を再生する機能が対応付けられた新たなオブジェクトを作成し、標準画面を表示する際に当該新たなオブジェクトを標準画面に重畳して表示することで上記課題を解決する。【選択図】図３
2012095157.tif 000002
【特許請求の範囲】
【請求項１】
機能が対応付けられたオブジェクトを標準画面に重畳して表示する表示手段と、
画像を撮影する撮影手段と、
前記表示手段に表示された前記オブジェクトが選択された際、当該選択されたオブジェクトに対応付けられた機能を実行する制御手段と、を有し、
前記制御手段は、前記撮影手段によって画像が撮影されると、当該画像を再生する機能が対応付けられた新たなオブジェクトを作成し、前記標準画面を表示する際に当該新たなオブジェクトを前記標準画面に重畳して表示することを特徴とする携帯端末装置。
【請求項２】
前記制御手段は、前記表示手段に他のオブジェクトが既に前記標準画面に重畳して表示する設定がされている場合、前記新たなオブジェクトが作成されると、当該新たなオブジェクトを、前記標準画面を表示する際に、前記他のオブジェクトに追加して前記標準画面に重畳して表示することを特徴とする請求項１に記載の携帯端末装置。
【請求項３】
前記撮影手段によって撮影された画像を記憶する記憶手段を有し、
前記制御手段は、前記表示手段に前記標準画面を表示している間に、前記オブジェクトが選択されると、前記撮影手段によって撮影された画像を前記記憶手段より読み出し、前記表示手段によって表示させることを特徴とする請求項１または２に記載の携帯端末装置。
【請求項４】
前記制御手段は、前記オブジェクトに対応付けられた画像が前記記憶手段から削除された場合、前記標準画面から当該画像が対応付けられたオブジェクトの表示を消去することを特徴とする請求項３に記載の携帯端末装置。
【請求項５】
操作が入力される操作手段をさらに有し、
前記制御手段は、前記撮影手段で撮影した画像を前記表示手段に表示させている間に、前記操作手段にオブジェクトを作成する操作が入力された場合、前記画像に対応付けられたオブジェクトを作成することを特徴とする請求項１から４のいずれか１項に記載の携帯端末装置。
【請求項６】
前記制御手段は、前記撮影手段で撮影した画像の撮影時の設定が特定の設定である場合、前記画像に対応付けられたオブジェクトを作成することを特徴とする請求項１から４のいずれか１項に記載の携帯端末装置。
【請求項７】
前記制御手段は、前記撮影手段によって撮影された画像が複数ある場合、当該複数の画像が対応付けられた１つのオブジェクトを作成することを特徴とする請求項１から６のいずれか１項に記載の携帯端末装置。
【請求項８】
前記制御手段は、前記撮影手段によって画像が撮影された際に別の画像に対応付けられたオブジェクトが既に設定されている場合、当該既に設定されたオブジェクトに前記撮影された画像を対応付けることを特徴とする請求項１から７のいずれかに１項に記載の携帯端末装置。
【請求項９】
前記制御手段は、前記オブジェクトに対応付けられた画像が複数の場合、前記オブジェクトに複数の画像が対応付けられたことを示す情報を付加して表示させることを特徴とする請求項７または８に記載の携帯端末装置。
【請求項１０】
前記制御手段は、前記表示手段に前記標準画面を表示している間に、前記オブジェクトが選択されたら、前記オブジェクトに対応付けられた複数の画像を読み出し、当該複数の画像を表示させることを特徴とする請求項７から９のいずれか１項に記載の携帯端末装置。
【請求項１１】
前記制御手段は、前記表示手段に前記標準画面を表示している間に、前記オブジェクトが選択されたら、前記記憶手段から複数の前記撮影手段で撮影した複数の画像を読み出し、読み出した当該複数の画像のうち、所定の条件を満たした画像を表示させ、当該所定の条件を満たしていない画像は画像内容を表示させないことを特徴とする請求項７から９のいずれか１項に記載の携帯端末装置。
【請求項１２】
前記制御手段は、前記オブジェクトに対応付けられた機能に関連した文字列を含むテキスト情報が前記オブジェクトに含まれ、前記表示手段によって前記オブジェクトが表示される際に前記テキスト情報も表示し、
前記撮影手段によって撮影された画像に対応付けられたオブジェクトが作成される際に、当該撮影された画像に関連した文字列を含む所定のテキスト情報も作成することを特徴とする請求項１から１１に記載の携帯端末装置。
【請求項１３】
前記制御手段は、前記オブジェクトに対応付けられた画像が複数の場合、前記オブジェクトに複数の画像が対応付けられたことを示すテキスト情報を新たに作成することを特徴とする請求項１２に記載の携帯端末装置。
【請求項１４】
前記制御手段は、前記オブジェクトに対応付けられた画像が前記表示手段によって表示された回数もしくは時間が所定の条件を満たした場合、当該画像と当該画像に対応付けられた前記オブジェクトとの対応付けを解除することを特徴とする請求項１から１３のいずれか１項に記載の携帯端末装置。
【請求項１５】
前記制御手段は、前記画像に対応付けられたオブジェクトの作成時に、前記標準画面に重畳して表示されているオブジェクトの数が許容数以上である場合、前記標準画面に重畳して表示されているオブジェクトのうち１つのオブジェクトを一時的に待避させるとともに前記画像に対応付けられたオブジェクトを表示させることを特徴とする請求項１から１４のいずれか１項に記載の携帯端末装置。
【請求項１６】
前記制御手段は、前記画像に対応付けられたオブジェクトを削除した場合、前記一時的に待避させたオブジェクトを前記標準画面に重畳して表示させることを特徴とする請求項１５に記載の携帯端末装置。
【請求項１７】
機能が対応付けられたオブジェクトを標準画面に重畳して表示する表示手段と、画像を撮影する撮影手段と、前記表示手段に表示された前記オブジェクトが選択された際、当該選択されたオブジェクトに対応付けられた機能を実行する制御手段と、を有する携帯端末装置によって実行される携帯端末装置制御方法であって、
前記撮影手段で画像を撮影するステップと、
前記撮影手段によって撮影された画像を再生する機能が対応付けられたオブジェクトを作成するステップと、
前記標準画面を表示する際に当該新たなオブジェクトを前記標準画面に重畳して表示するステップと、
を含むことを特徴とする携帯端末装置制御方法。
【請求項１８】
機能が対応付けられたオブジェクトを標準画面に重畳して表示する表示手段と、画像を撮影する撮影手段と、前前記表示手段に表示された前記オブジェクトが選択された際、当該選択されたオブジェクトに対応付けられた機能を実行する制御手段と、を有する携帯端末装置に、
前記撮影手段で画像を撮影するステップと、
前記撮影手段によって撮影された画像を再生する機能が対応付けられたオブジェクトを作成するステップと、
前記標準画面を表示する際に当該新たなオブジェクトを前記標準画面に重畳して表示するステップと、
を実行させることを特徴とする携帯端末装置制御プログラム。
【発明の詳細な説明】
【技術分野】
【０００１】
本発明は、携帯端末装置、携帯端末装置制御方法及び携帯端末装置制御プログラムに関する。
【背景技術】
【０００２】
携帯電話機等の携帯端末装置の待受画面に、特定のアプリケーションプログラムと関連づけられたショートカット項目（オブジェクト）を表示する技術が知られている（例えば、特許文献１参照）。また、特許文献１に記載の携帯端末では、ユーザの使用頻度に応じてショートカット項目を自動的にカスタマイズする。
【０００３】
このような技術を用いれば、待受画面からメニュー階層を辿って所望のアプリケーションプログラムを起動させるといった煩雑な操作を行うことなく、所望のアプリケーションプログラムを迅速に起動させることができる。また、特許文献１に記載の携帯端末では、使用頻度が高い項目は、ユーザが操作することなくショートカット項目が生成されるため、ユーザによる操作の負担を少なくすることができる。
【先行技術文献】
【特許文献】
【０００４】
【特許文献１】特開２００７−３１７２２３号公報
【発明の概要】
【発明が解決しようとする課題】
【０００５】
ここで、カメラでメモ等を撮影し、この画像を必要に応じてすぐ閲覧したい場合がある。このような場合は、撮影した画像に対応付けたショートカット（オブジェクト）を作成することで待受画面からすぐに画像を閲覧することができる。
【０００６】
しかしながら、この場合は、オブジェクトを作成するためのアプリケーションを起動し、画像フォルダから撮影した画像を読み出した後、オブジェクトを対応付ける操作を行う必要がある。そのため、ユーザは、アプリケーションを起動させる作業や、撮影した画像を画像フォルダから探す作業が必要となる。また、特許文献１に記載の装置では、当該撮影した画像を繰り返し閲覧した後でなければ自動的にオブジェクトが作成されない。そのため、ユーザは、一定の操作を繰り返し行う必要がある。このように、撮影した画像を待受画面からすぐに閲覧できる状態に設定する作業は、ユーザにとって手間のかかる作業となる。
【０００７】
本発明は、上記に鑑みてなされたものであって、簡単な操作で、撮影した画像を待受画面からすぐに閲覧することを可能とする携帯端末装置、携帯端末装置制御方法及び携帯端末装置制御プログラムを提供することを目的とする。
【課題を解決するための手段】
【０００８】
上述した課題を解決し、目的を達成するために、本発明は、携帯端末装置であって、機能が対応付けられたオブジェクトを標準画面に重畳して表示する表示手段と、画像を撮影する撮影手段と、前記表示手段に表示された前記オブジェクトが選択された際、当該選択されたオブジェクトに対応付けられた機能を実行する制御手段と、を有し、前記制御手段は、前記撮影手段によって画像が撮影されると、当該画像を再生する機能が対応付けられた新たなオブジェクトを作成し、前記標準画面を表示する際に当該新たなオブジェクトを前記標準画面に重畳して表示することを特徴とする。
【０００９】
ここで、前記制御手段は、前記表示手段に他のオブジェクトが既に前記標準画面に重畳して表示する設定がされている場合、前記新たなオブジェクトが作成されると、当該新たなオブジェクトを、前記標準画面を表示する際に、前記他のオブジェクトに追加して前記標準画面に重畳して表示することが好ましい。
【００１０】
また、前記撮影手段によって撮影された画像を記憶する記憶手段を有し、前記制御手段は、前記表示手段に前記標準画面を表示している間に、前記オブジェクトが選択されると、前記撮影手段によって撮影された画像を前記記憶手段より読み出し、前記表示手段によって表示させることが好ましい。
【００１１】
また、前記制御手段は、前記オブジェクトに対応付けられた画像が前記記憶手段から削除された場合、前記標準画面から当該画像が対応付けられたオブジェクトの表示を消去することが好ましい。
【００１２】
また、操作が入力される操作手段をさらに有し、前記制御手段は、前記撮影手段で撮影した画像を前記表示手段に表示させている間に、前記操作手段にオブジェクトを作成する操作が入力された場合、前記画像に対応付けられたオブジェクトを作成することが好ましい。
【００１３】
また、前記制御手段は、前記撮影手段で撮影した画像の撮影時の設定が特定の設定である場合、前記画像に対応付けられたオブジェクトを作成することが好ましい。
【００１４】
また、前記制御手段は、前記撮影手段によって撮影された画像が複数ある場合、当該複数の画像が対応付けられた１つのオブジェクトを作成することが好ましい。
【００１５】
また、前記制御手段は、前記撮影手段によって画像が撮影された際に別の画像に対応付けられたオブジェクトが既に設定されている場合、当該既に設定されたオブジェクトに前記撮影された画像を対応付けることが好ましい。
【００１６】
また、前記制御手段は、前記オブジェクトに対応付けられた画像が複数の場合、前記オブジェクトに複数の画像が対応付けられたことを示す情報を付加して表示させることが好ましい。
【００１７】
また、前記制御手段は、前記表示手段に前記標準画面を表示している間に、前記オブジェクトが選択されたら、前記オブジェクトに対応付けられた複数の画像を読み出し、当該複数の画像を表示させることが好ましい。
【００１８】
また、前記制御手段は、前記表示手段に前記標準画面を表示している間に、前記オブジェクトが選択されたら、前記記憶手段から複数の前記撮影手段で撮影した複数の画像を読み出し、読み出した当該複数の画像のうち、所定の条件を満たした画像を表示させ、当該所定の条件を満たしていない画像は画像内容を表示させないことが好ましい。
【００１９】
また、前記制御手段は、前記オブジェクトに対応付けられた機能に関連した文字列を含むテキスト情報が前記オブジェクトに含まれ、前記表示手段によって前記オブジェクトが表示される際に前記テキスト情報も表示し、前記撮影手段によって撮影された画像に対応付けられたオブジェクトが作成される際に、当該撮影された画像に関連した文字列を含む所定のテキスト情報も作成することが好ましい。
【００２０】
また、前記制御手段は、前記オブジェクトに対応付けられた画像が複数の場合、前記オブジェクトに複数の画像が対応付けられたことを示すテキスト情報を新たに作成することが好ましい。
【００２１】
また、前記制御手段は、前記オブジェクトに対応付けられた画像が前記表示手段によって表示された回数もしくは時間が所定の条件を満たした場合、当該画像と当該画像に対応付けられた前記オブジェクトとの対応付けを解除することが好ましい。
【００２２】
また、前記制御手段は、前記画像に対応付けられたオブジェクトの作成時に、前記標準画面に重畳して表示されているオブジェクトの数が許容数以上である場合、前記標準画面に重畳して表示されているオブジェクトのうち１つのオブジェクトを一時的に待避させるとともに前記画像に対応付けられたオブジェクトを表示させることが好ましい。
【００２３】
また、前記制御手段は、前記画像に対応付けられたオブジェクトを削除した場合、前記一時的に待避させたオブジェクトを前記標準画面に重畳して表示させることが好ましい。
【００２４】
上述した課題を解決し、目的を達成するために、本発明は、機能が対応付けられたオブジェクトを標準画面に重畳して表示する表示手段と、画像を撮影する撮影手段と、前記表示手段に表示された前記オブジェクトが選択された際、当該選択されたオブジェクトに対応付けられた機能を実行する制御手段と、を有する携帯端末装置によって実行される携帯端末装置制御方法であって、前記撮影手段で画像を撮影するステップと、前記撮影手段によって撮影された画像を再生する機能が対応付けられたオブジェクトを作成するステップと、前記標準画面を表示する際に当該新たなオブジェクトを前記標準画面に重畳して表示するステップと、を含むことを特徴とする。
【００２５】
上述した課題を解決し、目的を達成するために、本発明は、携帯端末装置制御プログラムであって、機能が対応付けられたオブジェクトを標準画面に重畳して表示する表示手段と、画像を撮影する撮影手段と、前前記表示手段に表示された前記オブジェクトが選択された際、当該選択されたオブジェクトに対応付けられた機能を実行する制御手段と、を有する携帯端末装置に、前記撮影手段で画像を撮影するステップと、前記撮影手段によって撮影された画像を再生する機能が対応付けられたオブジェクトを作成するステップと、前記標準画面を表示する際に当該新たなオブジェクトを前記標準画面に重畳して表示するステップと、を実行させることを特徴とする。
【発明の効果】
【００２６】
本発明に係る携帯端末装置、携帯端末装置制御方法及び携帯端末装置制御プログラムは、簡単な操作で、撮影した画像を待受画面からすぐに閲覧することを可能とするという効果を奏する。
【図面の簡単な説明】
【００２７】
【図１】図１は、携帯電話機の外観を示す斜視図である。
【図２】図２は、携帯電話機が表示する待受画面の一例を示す図である。
【図３】図３は、携帯電話機の機能的な構成を示すブロック図である。
【図４】図４は、付加表示データの一例を示す図である。
【図５】図５は、表示部に表示される画像の一例を示す図である。
【図６】図６は、表示部に表示される画像の一例を示す図である。
【図７】図７は、表示部に表示される画像の一例を示す図である。
【図８】図８は、表示部に表示される画像の一例を示す図である。
【図９】図９は、携帯電話機の制御部が実行する処理手順を示すフロー図である。
【図１０】図１０は、携帯電話機の制御部が実行する処理手順を示すフロー図である。
【発明を実施するための形態】
【００２８】
以下に、本発明に係る携帯端末装置、携帯端末装置制御方法及び携帯端末装置制御プログラムの実施例を図面に基づいて詳細に説明する。なお、この実施例によりこの発明が限定されるものではない。また、以下の説明における構成要素には、当業者が容易に想定できるもの、実質的に同一のもの、いわゆる均等の範囲のものが含まれる。また、以下の説明では、携帯端末装置として携帯電話機を例として説明するが、本発明の適用対象は携帯電話機に限定されるものではない。例えば、ＰＨＳ（Personal  Handy-phone  System）、スマートフォン、ＰＤＡ（Personal  Digital  Assistant）、ポータブルナビゲーション装置、ノートパソコン、ゲーム機等に対しても本発明を適用できる。
【００２９】
（実施形態）
まず、本実施形態に係る携帯電話機１の外観について説明する。図１は、携帯電話機１の外観を示す斜視図である。図１に示すように、携帯電話機１は、筐体１０と、表示部１１と、マイク１２と、レシーバ１３と、入力部１５とを備える。
【００３０】
筐体１０は、例えば、１つの箱型で構成される。筐体１０は、いわゆるストレート型筐体である。なお、筐体１０は、例えば、第１筐体と第２筐体との２つを含んで構成されてもよい。この場合、筐体１０は、第１筐体が第２筐体に対してスライドする構成のスライド式筐体でもよいし、第１筐体が第２筐体に対して回動する折り畳み式の筐体でもよい。すなわち、筐体１０の構成は限定されない。
【００３１】
表示部１１と、マイク１２と、レシーバ１３と、入力部１５とは、筐体１０に収納される。マイク１２は、音声を電気信号に変換する。レシーバ１３は、電気信号を音声に変換して出力する。
【００３２】
入力部１５は、利用者の操作を受け付け、受け付けた操作に応じた信号を生成する。入力部１５は、方向ボタン１５ａと、機能呼出部としての各種機能呼出ボタン１５ｂと、数値入力ボタン１５ｃとを含む。方向ボタン１５ａは、表示部１１が表示するカーソルを動かすためのボタンである。各種機能呼出ボタン１５ｂは、携帯電話機１が備える各種機能を呼び出すためのボタンである。数値入力ボタン１５ｃは、数値を入力するためのボタンである。数値入力ボタン１５ｃは、例えば、音声通話を開始する際に電話番号の入力で用いられる。
【００３３】
表示部１１は、例えば、液晶ディスプレイ（ＬＣＤ、Liquid  Crystal  Display）や、有機ＥＬ（Organic  Electro-Luminescence）パネル等で構成された表示パネルを備え、各種機能画面や、待受画面等を表示する。ここで、機能画面とは、携帯電話機１が有する機能を利用者に提供するための画面である。機能画面には、例えば、他の携帯電話機器との通話機能、メール送受信機能、カメラによる撮像機能、オーディオビジュアル機能等の機能を利用者に提供するための画面が含まれる。また、表示部１１は、標準画面も表示する。ここで、標準画面とは、待受画面や、デスクトップ等のアプリケーションの起動を待ち受けている画面である。
【００３４】
また、待受画面とは、電話の発着信を待ち受けている状態の画面、または、アプリケーションプログラムの起動を待ち受けている状態の画面である。換言すると、待受画面は、携帯電話機１が提供する各種機能画面へ画面が変わる前の画面である。なお、待受画面は、例えば、デスクトップ画面、ホーム画面、または、壁紙と呼ばれることもある。
【００３５】
携帯電話機１では、利用者が設定した付加表示データに従って、オブジェクトが待受画面上に重畳して表示される。付加表示データには、オブジェクトとして表示すべき文字列、画像、図形、または、それらの組み合わせ（以下、「文字列等」という）と、起動すべきアプリケーションプログラムを特定するための情報と、アプリケーションプログラムのパラメータとが関連づけて登録される。
【００３６】
オブジェクトは、例えば、待受画面上に個別に設けられた帯状の領域に表示される。携帯電話機１は、待受画面上に、複数のオブジェクトを同時に表示することができる。そして、携帯電話機１は、待受画面上に表示されたオブジェクトに対して利用者が行った操作に応じて、オブジェクトに関連づけられているアプリケーションプログラムを起動する。
【００３７】
また、携帯電話機１は、利用者が設定した付加表示データに従って、固定的に設定された文字列等以外に、バックグラウンドで実行されているアプリケーションが処理中の情報をオブジェクトとして待受画面上に表示することができる。
【００３８】
ここで、携帯電話機１が表示部１１に表示する待受画面の例を図２に示す。図２は、携帯電話機１が表示する待受画面の一例を示す図である。図２に示す例では、待受画面５１の一部として時計が表示されている。また、図２に示す例では、待受画面５１に重畳して、オブジェクト５２ａと、オブジェクト５３ａと、オブジェクト５４ａとが表示されている。このように、図２に示す例では、待受画面５１に、オブジェクト５２ａと、オブジェクト５３ａと、オブジェクト５４ａと、絵文字５２ｂと、絵文字５３ｂと、絵文字５４ｂと、を重畳して構成される画像５０が表示部１１に表示される。
【００３９】
オブジェクト５２ａは、「ニュース」という文字列を含む付箋として表示されている。オブジェクト５２ａに対応する付加表示データには、起動すべきアプリケーションプログラムとしてブラウザプログラムが指定され、パラメータとしてニュースサイトのＵＲＬが指定され、オブジェクトにおける文字列として「ニュース」が指定されている。
【００４０】
利用者は、方向ボタン１５ａを操作する等して、待受画面上に表示されたオブジェクト５２ａを選択した上で決定操作を実行することにより、ニュースサイトのＵＲＬをアクセス先として指定した状態でブラウザプログラムを起動し、ニュースサイトのＷＥＢページを閲覧することができる。このように、待受画面上に表示されたオブジェクトは、関連づけられているアプリケーションプログラムを迅速に起動するために利用される。
【００４１】
オブジェクト５３ａは、「アラーム」という文字列を含む付箋として表示されている。オブジェクト５３ａに対応する付加表示データには、起動すべきアプリケーションプログラムとしてアラームプログラムが指定され、オブジェクトにおける文字列として「アラーム」が指定されている。
【００４２】
オブジェクト５４ａは、「Ｅメール新規作成」という文字列を含む付箋として表示されている。オブジェクト５４ａに対応する付加表示データには、起動すべきアプリケーションプログラムとしてメールプログラムが指定され、オブジェクトにおける文字列として「Ｅメール新規作成」が指定されている。
【００４３】
また、図２の例に示すように、携帯電話機１では、オブジェクト５２ａ、５３ａ及び５４ａが表示される帯状の領域のそれぞれの左端に、絵文字５２ｂ、５３ｂ及び５４ｂが対応付けて表示される。絵文字５２ｂ、５３ｂ及び５４ｂは、その右側に表示される文字列等が、予め設定された付加表示データに基づくオブジェクトであることを示している。なお、絵文字はオブジェクトと一体としてもよい。
【００４４】
オブジェクトと対応付けて表示される絵文字は、画像、図形、文字等で構成されるシンボルであり、アイコンと呼ばれる場合がある。絵文字は、オブジェクトと、起動されるアプリケーションプログラムとの対応を利用者が容易に把握できるように、アプリケーションプログラム毎に異なる画像、図形、文字等で構成されることが好ましい。
【００４５】
図２に示した例では、絵文字５２ｂは、起動されるアプリケーションプログラムがブラウザプログラムであることを利用者が容易に把握できるように、「ＵＲＬ」の文字からなる。また、絵文字５３ｂは、起動されるアプリケーションプログラムがアラームプログラムであることを利用者が容易に把握できるように、鈴を表した図形からなる。また、絵文字５４ｂは、起動されるアプリケーションプログラムがメールプログラムであることを利用者が容易に把握できるように、封筒を表した図形からなる。
【００４６】
なお、オブジェクトと対応付けてどの絵文字を表示させるかについては、オブジェクトと対応付けられているアプリケーションプログラムに応じて決定することとしてもよいし、利用者の選択に基づいて決定することとしてもよい。また、オブジェクトはこれに限定されず、必要に応じて種々のアプリケーションプログラムに対応付けて作成することができる。また、オブジェクトにメモを表示させるアプリケーションプログラムを対応付け、対応付けられた文字情報を表示させるのみにしてもよい。
【００４７】
次に、図１に示した携帯電話機１の機能的な構成について説明する。図３は、携帯電話機１の機能的な構成を示すブロック図である。図３に示すように、携帯電話機１は、表示部１１と、マイク１２と、レシーバ１３と、入力部１５と、カメラ３１と、通信部３２と、音声処理部３３と、制御部３６と、メモリ３７と、記憶部３８とを有する。
【００４８】
カメラ３１は、画像を撮影する。通信部３２は、図示しないアンテナを有し、基地局との間で無線回線を確立して通話またはデータ通信のための無線通信を実現する。音声処理部３３は、マイク１２が電気信号に変換した音声データに符号化等の処理を施して制御部３６へ出力する。また、音声処理部３３は、制御部３６から入力された音声データに復号化等の処理を施してレシーバ１３へ出力する。
【００４９】
制御部３６は、携帯電話機１の全体的な動作を統括的に制御する。具体的には、制御部３６は、図示しないＣＰＵ（Central  Processing  Unit）等の演算装置を備え、オペレーティングシステムやアプリケーションプログラム等の各種プログラムに含まれる命令とデータとに基づいて演算装置に演算処理を実行させる。そして、制御部３６は、演算装置の演算結果に基づいて携帯電話機１の各部を制御することにより、音声通話機能やメール送受信機能等の携帯電話機１が利用者に提供する各種機能を実現する。また、制御部３６によって実行されるオペレーティングシステムは、マルチタスク機能を有し、制御部３６が擬似的に複数のアプリケーションプログラムを同時に実行することを可能にする。
【００５０】
メモリ３７は、例えば、ＲＡＭ（Random  Access  Memory）であり、制御部３６において実行される各種演算処理で用いられるデータが一時的に展開される記憶領域として用いられる。また、メモリ３７は、制御部３６において実行中のアプリケーションプログラムが一時的に展開される記憶領域として用いられることもある。なお、メモリ３７を設けずに、記憶部３８がメモリ３７の機能を兼ねることとしてもよい。
【００５１】
記憶部３８は、不揮発性を有する記憶装置（例えば、フラッシュメモリ）であり、制御部３６での各種演算処理に利用されるデータやプログラムが記憶される。記憶部３８に記憶されるプログラムには、待受画面プログラム３９と、付加表示データ管理プログラム４０と、カメラプログラム４１と、ブラウザプログラム４２と、が含まれる。また、記憶部３８に記憶されるデータには、画像データ４３と、付加表示データ４４が含まれる。
【００５２】
待受画面プログラム３９は、表示部１１に表示される待受画面に関する各種機能を実現させる。待受画面プログラム３９は、待受画面制御部３９ａと、付加表示制御部３９ｂと、を含む。待受画面制御部３９ａと、付加表示制御部３９ｂと、は、制御部３６に所定の機能を実現させるための命令とデータの集合である。
【００５３】
待受画面制御部３９ａは、表示部１１に待受画面を表示させる。待受画面制御部３９ａによって表示される待受画面には、予め選択された画像データまたはアニメーションデータ等からなる背景部分に加えて、図２に示した例の時計のように、待受画面制御部３９ａが提供する機能によって動的に変化する部分が含まれることがある。
【００５４】
付加表示制御部３９ｂは、付加表示データ４４に基づいて待受画面上にオブジェクトを表示させる。また、付加表示制御部３９ｂは、待受画面上に表示されたオブジェクトに対して行われた操作に応じて、オブジェクトに関連づけられたアプリケーションプログラムを起動させる。
【００５５】
付加表示制御部３９ｂは、オブジェクトとして、付加表示データ４４内に固定的に設定された文字列等を待受画面上に表示させる。なお、オブジェクトの表示位置は、入力部１５への操作により、利用者の好みの位置が指定される。
【００５６】
また、付加表示制御部３９ｂは、アプリケーションプログラムによって、処理が完了した旨を示す完了通知がなされた場合に、そのアプリケーションプログラムに対応するオブジェクトを非表示にさせる。ここで、処理が完了することには、例えば、アプリケーションプログラムに指定された目標が達成された場合や、指定されたデータに関する処理を最後までやり終えた場合や、指定された期限が経過した場合が含まれる。
【００５７】
付加表示データ管理プログラム４０は、付加表示データ４４へのデータの登録と、更新と、削除とを実現させる。具体的には、付加表示データ管理プログラム４０は、付加表示データ４４へのデータの登録または削除のための機能画面を表示部１１に表示させ、機能画面に対して入力された情報に基づいてデータを登録または削除させる。
【００５８】
カメラプログラム４１は、ユーザの操作に基づいてカメラ３１を作動させて画像を撮影し、撮影した画像を記憶部３８の画像データ４３として記憶させる。また、カメラプログラム４１は、カメラ３１による撮影時の撮影条件等を制御する。
【００５９】
ブラウザプログラム４２は、指定されたＵＲＬに対応するＷＥＢページを取得させ、取得したＷＥＢページを表示部１１に表示させる。画像データ４３は、カメラ３１で撮影して記憶された画像データである。画像データ４３は、複数の画像データを保持し複数の画像データをフォルダ等で管理する。
【００６０】
付加表示データ４４は、待受画面上に表示されるオブジェクトに関する情報を保持する。図４は、付加表示データ４４の一例を示す図である。図４に示すように、付加表示データ４４は、ＩＤ、表示位置、プログラム、オブジェクト、状態、パラメータといった項目を有し、待受画面上に表示されるオブジェクト毎にデータが登録される。
【００６１】
ＩＤの項目は、付加表示データ４４に登録されているデータを識別するための識別番号を保持する。表示位置の項目は、待受画面上にオブジェクトが表示される位置として、登録時または編集時に利用者が指定した位置を保持する。表示位置の項目には、例えば、待受画面上にオブジェクトを帯状に隙間なく配置した場合における何番目のオブジェクトに相当する位置であるかを表す番号が設定される。なお、待受画面上での表示内容に応じて、利用者が、中央寄りや下端寄り等の寄せ位置を利用者が設定できるようにしてもよい。プログラムの項目は、起動されるアプリケーションプログラムを特定するための情報（例えば、アプリケーションプログラムの名称やパス名）を保持する。
【００６２】
オブジェクトの項目は、オブジェクトとして何を表示すべきかを表す情報を保持する。例えば、オブジェクトとして文字列を表示する場合、オブジェクトの項目には、表示される文字列が設定される。
【００６３】
状態の項目は、オブジェクトをどのように表示すべきかを表す情報を保持する。状態の項目には、例えば、「絵文字＋オブジェクト」、「絵文字」、「非表示」のいずれかの値が設定される。「絵文字＋オブジェクト」は、絵文字とオブジェクトの両方を表示すべきことを示す。「絵文字」は、絵文字のみを表示して、オブジェクトを非表示とすべきことを示す。「非表示」は、絵文字とオブジェクトの両方を非表示とすべきことを示す。
【００６４】
パラメータの項目は、アプリケーションプログラムのパラメータを保持する。ここで、パラメータとしては、ＵＲＬや、参照するデータの記憶部３８内のアドレス（対応付けの情報）等が設定される。また、オブジェクトを一定の条件を満たしたら削除する設定である場合は、削除する条件、及び、その条件の各値の現在の値が設定されている。
【００６５】
次に、図５から図９を参照しながら、図１に示した携帯電話機１の動作について説明する。図５から図８は、それぞれ表示部に表示される画像の一例を示す図であり、図９は、携帯電話機の制御部が実行する処理手順を示すフロー図である。なお、図５から図８に示す処理は、制御部３６は、記憶部３８に記憶された待受画面プログラム３９、付加表示データ管理プログラム４０及びカメラプログラム４１を読み出し、処理を実行することで実現される。携帯電話機１は、カメラ３１で画像を撮影した場合、カメラプログラム４１を実行することで撮影した画像データを加工、保存しつつ、付加表示データ管理プログラム４０を実行することで撮影時のモードが予め設定されたモードである場合、撮影した画像を対応付けたオブジェクトを作成する。また、携帯電話機１は、このようにオブジェクトを作成することで、作成したオブジェクトを待受画面に重畳して表示させることができる。
【００６６】
以下、図５を用いて具体的に説明する。携帯電話機１は、カメラ３１で画像を撮影した場合、図５中左上に示すように、撮影画像６１と、操作画像６２と、を含む画像６０を表示部１１に表示させる。ここで、撮影画像６１は、カメラ３１で撮影した画像である。操作画像６２は、入力部１５の方向ボタンａ及び各種機能呼出ボタン１５ｂに割り当てた操作を示す画像である。操作画像６２には、「添付」と「保存」と「メニュー」との３つの項目が表示されている。携帯電話機１は、操作画面６２を表示させた状態で、それぞれの項目に隣接した（図５においては、下方向に）入力部１５に操作が入力された場合、項目に対応する処理を実行する。例えば、「保存」に対応する入力部１５のボタンが押下されたら、画像６０を画像データとして記憶部３８に保存（記憶）する処理を行う。
【００６７】
携帯電話機１は、画像６０を画像データとして保存する処理の実行時に、所定の条件を満たしている場合、画像６０を画像データとして記憶部３８に保存する処理とともに記憶部３８に撮影した画像データ（記憶する画像データ）に対応付けられたオブジェクトを作成する。なお、携帯電話機１は、制御部３６で付加表示データ管理プログラム４０を処理することにより、画像データを対応付けたオブジェクトの作成処理を実行する。本実施形態では、画像６０を画像データとして保存する処理の実行時に、オブジェクトを作成する場合とするが、オブジェクトの作成するタイミングはこれに限定されない。携帯電話機１は、撮影した画像が所定の条件を満たしていると判定したら、撮影した画像に対応するオブジェクトを作成すればよい。なお、図５に示す例は、撮影モードとしてメモモードを選択して画像を撮影することを所定の条件に設定している場合である。
【００６８】
ここで、携帯電話機１は、画像データに対応付けたオブジェクトを作成する場合、既に登録されている他のオブジェクトの状態に基づいて、作成するオブジェクトを決定する。携帯電話機１は、画像データに対応付けたオブジェクトを作成する場合、オブジェクトを表示させる領域があり、かつ、画像データに対応付けて作成するオブジェクトがないと判定したら、オブジェクトを作成する。その後待受画面を表示させる状態になったら、携帯電話機１は、図５中左下に示すように、待受画面５１にオブジェクト７０ａを追加した（重畳した）画像６０ａを表示部１１に表示させる。オブジェクト７０ａは、オブジェクトの項目として「メモ画像」が記憶され、パラメータとして撮影画像６１が記憶されているアドレスが記憶されている。これにより、オブジェクト７０ａは、文字列として「メモ画像」を表示させる。このように、オブジェクト７０ａに「メモ画像」という文字列として表示させることで、ユーザにメモモードを選択して撮影した画像データが対応付けられたオブジェクトであることを容易に理解させることができる。
【００６９】
また、携帯電話機１は、画像データに対応付けたオブジェクトを作成する場合、画像データに対応付けて作成するオブジェクトが既に作成されている、つまり、作成予定のオブジェクトが既に別の画像データに対応付けて作成されていると判定したら、画像データを既に別の画像データに対応付けて作成されているオブジェクトに対応付ける。その後待受画面を表示させる状態になったら、携帯電話機１は、図５中中央下に示すように、待受画面５１にオブジェクト７０ｂを追加した（重畳した）画像６０ｂを表示部１１に表示させる。オブジェクト７０ｂは、オブジェクトの項目として「メモ画像」及び複数の画像データが対応付けられたことを示す印（アイコン）７１が記憶され、パラメータとして撮影画像６１とその他のオブジェクト７０ｂに対応付けられた画像が記憶されているアドレスが記憶されている。なお、複数の画像データが対応付けられたことを示す印（アイコン）７１は、「＋＋」である。オブジェクト７０ｂは、文字列として「メモ画像」を表示させ、印（アイコン）７１として「＋＋」を表示させる。なお、対応付けられた画像の枚数に応じて印（アイコン）７１を切り換えてもよい。
【００７０】
また、携帯電話機１は、画像データに対応付けたオブジェクトを作成する場合、オブジェクトを表示させる領域がなくかつ画像データに対応付けて作成するオブジェクトがないと判定したら、画像データに対応付けたオブジェクトを作成し、待受画面に重畳して表示させるオブジェクトの選択処理を行う。一方で、携帯電話機１は、表示可能領域に表示させるオブジェクトが全て決まっており、オブジェクトを表示させるための空き領域がない場合、待受画面において表示する設定となっているオブジェクトの１つに代えて画像データに対応付けたオブジェクトを表示させる設定とする。その後、待受画面を表示させる状態になったら、携帯電話機１は、図５中右下に示すように、待受画面５１にオブジェクト７２ａ、７２ｂ、７２ｃ、７２ｄ、７２ｅとオブジェクト７０ｃとを重畳した画像６０ｃを表示部１１に表示させる。つまり、待受画面５１にオブジェクト７０ｃを追加した画面６０ｃを表示部１１に表示させる。オブジェクト７０ｃは、オブジェクト７０ａと同様にオブジェクトの項目として「メモ画像」が記憶され、パラメータとして撮影画像６１が記憶されているアドレスが記憶されている。これにより、オブジェクト７０ｃは、文字列として「メモ画像」を表示させる。また、オブジェクト７２ａはアラーム設定機能の起動処理が対応付けられており、オブジェクト７２ｂはテキスト入力機能の起動処理が対応付けられており、オブジェクト７２ｃはマナーモードへの切換処理が対応付けられており、オブジェクト７２ｄは電源オフ処理が対応付けられており、オブジェクト７２ｅはＥメール新規作成機能の起動処理が対応付けられている。オブジェクト７２ａ、７２ｂ、７２ｃ、７２ｄ、７２ｅは、対応付けられた機能を示す文字列を表示させている。
【００７１】
図６を用いて、オブジェクトを表示させる領域がなくかつ画像データに対応付けて作成するオブジェクトがない場合について詳細に説明する。まず、携帯電話機１は、待受画面を表示させる場合、図６に示すように待受画面５１にオブジェクト７２ａ、７２ｂ、７２ｃ、７２ｄ、７２ｅと、オブジェクト７４と、を重畳した画像６０ｄを表示させる設定である。オブジェクト７４は電卓機能の起動処理が対応付けられたオブジェクトである。携帯電話機１は、オブジェクトとして、オブジェクト７２ａ、７２ｂ、７２ｃ、７２ｄ、７２ｅと、オブジェクト７４と、を表示させる設定である状態、つまり表示させる設定となっているオブジェクトの数が待受画面５１に重畳して表示可能なオブジェクトの数と同一である状態で、画像データに対応付けたオブジェクトを作成する場合、オブジェクト７４に代えて、画像データに対応付けたオブジェクトを表示させる。つまり携帯電話機１は、オブジェクト７４を一時的に削除し、オブジェクト７４を表示させていた領域に画像データに対応付けたオブジェクトを表示させる設定とする。これにより、携帯電話機１は、待受画面を表示させる状態になったら、待受画面５１にオブジェクト７２ａ、７２ｂ、７２ｃ、７２ｄ、７２ｅとオブジェクト７０ｃとを重畳した画像６０ｅを表示部１１に表示させる。つまり、画像６０ｄに対して、オブジェクト７４を削除しオブジェクト７０ｃを追加した画面６０ｅを表示部１１に表示させる。ここで、オブジェクト７４は、完全に削除された訳ではなく、メモリ３７に一時的に待避させている。なお、画像６０ｅは、画像６０ｃとは同じ画像である。
【００７２】
なお、携帯電話機１は、各種条件を変えることで一時的に削除するオブジェクトを種々のオブジェクトに変更することができる。例えば、ユーザが最も使用回数の低いオブジェクトを自動的に一時的に削除するオブジェクトとして設定してもよい。また、ユーザにより一時的に削除するオブジェクトを設定可能としてもよい。また、オブジェクトを表示させる位置を変更するようにしてもよい。
【００７３】
また、携帯電話機１は、待受画面に画像データに対応付けたオブジェクトを重畳して表示させている状態で、オブジェクトが選択されたら、対応付けられた画像を表示させる。以下、図７を用いて説明する。ここで、図７に示す処理は、オブジェクトに対応付けられた画像が１つの場合である。
【００７４】
携帯電話機１は、画面６０ａを表示させている状態で入力部１５に方向ボタン１５ａの下キーが押下されると、オブジェクト７０ａの周囲を囲む選択カーソル８０及び操作画面８２を画面６０ａに重畳した画像６０ｆを表示させ、オブジェクトを選択できる状態とする。選択カーソル８０は、選択しているオブジェクトを示す目印である。なお、画面６０ａと画面６０ｆでは、オブジェクト７０ａのみを表示させた場合としているが、複数のオブジェクトを表示させている場合は、画像６０ｆを表示させている状態で、方向ボタン１５ａが操作されると選択カーソル８０が操作された方向に移動される。また、操作画面８２は、オブジェクトを選択している状態で入力部１５の各キーに割り当てられている操作を示す画面であり、各ボタンに「新規」「表示」「メニュー」の操作が割り当てられている。ここで、「新規」はオブジェクトを新規作成する機能を起動させる操作が割り当てられている。「表示」は選択しているオブジェクトに対応付けられた情報を表示させる操作が割り当てられている。「メニュー」は選択しているオブジェクトを加工するための項目を選択する機能を起動させる操作が割り当てられている。
【００７５】
携帯電話機１は、画面６０ｆを表示させている状態で入力部１５に方向ボタン１５ａのセンターキーが押下されると、オブジェクト７０ａに対応付けられた撮影画像６１と操作画面８２ａとを含む画像６０ｇを表示部１１に表示させる。つまり携帯電話機１は、センターキーが押下されると、操作画面８２に表示された操作のうち「表示」の操作が入力されたと判定し、画像６０ｇを表示させる。これにより、撮影した撮影画像６１が表示部１１に表示される。
【００７６】
次に、図８を用いて、オブジェクトに対応付けられた画像が複数の場合の処理を説明する。携帯電話機１は、画面６０ｂを表示させている状態で入力部１５に方向ボタン１５ａの下キーが押下されると、オブジェクト７０ｂの周囲を囲む選択カーソル８０ａ及び操作画面８２ｂを画面６０ｂに重畳した画像６０ｈを表示させ、オブジェクトを選択できる状態とする。選択カーソル８０ａ及び操作画面８２ｂは、図７の選択カーソル８０及び操作画面８２と同じものである。
【００７７】
携帯電話機１は、画面６０ｈを表示させている状態で入力部１５に方向ボタン１５ａのセンターキーが押下されると、オブジェクト７０ｎに対応付けられた複数の画像８４及び画像８４ａと、選択カーソル８６と、操作画面８２ｃとを含む画像６０ｉを表示部１１に表示させる。ここで、画像８４及び画像８４ａは、オブジェクト７０ｂに対応付けられた複数の画像を縮小して表示させた画像である。本実施形態では、画像８４及び画像８４ａとして、合計９枚の画像を縮小して表示させている。また、画像８４ａは、撮影画像６１を縮小して表示させた画像である。また、選択カーソル８６は、複数の画像８４及び画像８４ａのうち選択している画像を示す目印である。画像６０ｉは、選択カーソル８６が画像８４ａを選択している。
【００７８】
携帯電話機１は、画面６０ｉを表示させている状態で入力部１５に決定操作が入力されると、撮影画像６１と操作画面８２ｄとを含む画像６０ｊを表示部１１に表示させる。つまり携帯電話機１は、表示させる画像の決定操作が入力されると、選択された画像を拡大表示させる。これにより、撮影した撮影画像６１が表示部１１に表示される。
【００７９】
なお、本実施形態では、９枚の画像を縮小して表示させているが表示させる枚数はこれに限定されない。また、一度に表示可能な枚数以上の画像がオブジェクトに対応付けられている場合は、表示ページを切り換えたり、画像をスクロールさせたりして表示させればよい。また、オブジェクトに対応付けられた画像の枚数が少ない場合は、画像を大きくして表示させたり、表示させる大きさを変えずに詰めて表示させたりしてもよい。
【００８０】
次に、図９を用いて携帯電話機１の制御部３６による処理動作について説明する。なお、図９に示す処理は、画像が撮影され、撮影した画像（写真）を記憶部３８に記憶させる処理と並行して実行される。つまり、制御部３６は、撮影した画像を記憶部３８に記憶させる処理等の、カメラで撮影した画像に対して行う各種処理は、図９の処理の順序とは関係なく実行される。
【００８１】
携帯電話機１の制御部３６は、ステップＳ１２として写真撮影、つまりカメラ３１により画像を取得する。制御部３６は、ユーザによりシャッタボタンを押下する等の所定の操作が入力された際に撮影を行う。制御部３６は、ステップＳ１２で写真撮影を行い撮影した写真（画像）を記憶部３８に記憶させる操作が入力されたら、ステップＳ１４としてシーン設定はメモであるかを判定する。つまり写真撮影時の撮影シーンの設定がメモであるかを判定する。制御部３６は、ステップＳ１４でシーン設定がメモではない（Ｎｏ）と判定したら、処理を終了する。
【００８２】
また、制御部３６は、ステップＳ１４でシーン設定がメモである（Ｙｅｓ）と判定したら、ステップＳ１６として自動登録、つまり撮影した画像に対応するオブジェクトを自動的に作成する処理を開始する。制御部３６は、ステップＳ１６で自動登録を開始したら、ステップＳ１８として登録は初回であるかを判定する。つまり制御部３６は、シーン設定がメモで撮影した画像に対応したオブジェクトが作成されていない状態であるかを判定する。
【００８３】
制御部３６は、ステップＳ１８で登録が初回ではない（Ｎｏ）、つまりメモで撮影した画像に対応したオブジェクトが作成されていると判定したら、ステップＳ１９として複数枚登録であることを示す表示に変更する。つまり、制御部３６は、既に作成されているオブジェクトを複数の画像データが対応付けられていることを示す表示に変更する、本実施形態では、所定の印（アイコン）を付加する変更を行う。なお、既に複数枚登録されている場合は、複数枚登録であることを示す表示を設定したままで表示を変更しない。その後、制御部３６は、既に作成されているオブジェクトにステップＳ１２で撮影した画像を対応付けて本処理を終了する。
【００８４】
また、制御部３６は、ステップＳ１８で登録が初回である（Ｙｅｓ）、つまりメモで撮影した画像に対応したオブジェクトが作成されていないと判定したら、ステップＳ２０として、オブジェクトを新規作成する。つまり、制御部３６は、メモで撮影した画像に対応付けたオブジェクトを新たに作成する。
【００８５】
制御部３６は、ステップＳ２０でオブジェクトを新規作成したら、ステップＳ２１として新規作成のオブジェクトを表示させる空き領域があるかを判定する。つまり制御部３６は、新規作成したオブジェクトを表示するための領域が残されているか（表示させる設定となっているオブジェクトの数が許容数（限界数）であるか）を判定する。制御部３６は、ステップＳ２１で表示させる空き領域がある（Ｙｅｓ）つまり新規作成したオブジェクトを表示するための領域が残されている（表示させる設定となっているオブジェクトの数が許容数未満である）と判定したら、ステップＳ２２として新規作成のオブジェクト（メモで撮影した画像に対応したオブジェクト）を空いている位置に登録する。つまり制御部３６は、新規作成したオブジェクトの表示位置を現在オブジェクトが表示されていない所定の位置に設定する。制御部３６はステップＳ２２の処理が終了したら本処理を終了する。なお、本実施形態では、ステップＳ２２で空いている位置を表示位置として登録したがこれに限定されない。例えば、メモで撮影した画像に対応したオブジェクトの表示位置を優先的に設定した位置とし、他のオブジェクトの表示位置を変更するようにしてもよい。なお、表示位置の設定条件を事前に設定しておくことで各オブジェクトを所望の位置に表示させることができる。また、新規作成のオブジェクトの表示位置は、オブジェクトを選択する選択カーソルが最初に選択する位置とすることが好ましい。これにより、新規作成のオブジェクトをより円滑に選択できるようにすることができる。
【００８６】
次に、制御部３６は、ステップＳ２１で表示させる空き領域がない（Ｎｏ）つまり新たに作成するオブジェクトを表示するための領域が残されていない（表示させる設定となっているオブジェクトの数が許容数と同じである、つまり新規作成するオブジェクトにより表示するオブジェクトの数が許容数を超える）と判定したら、ステップＳ２４として新規作成のオブジェクトを表示する位置の内容をバックアップする。つまり、制御部３６は、表示させる設定となっているオブジェクトのうち、新規作成のオブジェクトに代えて一時的に削除するオブジェクトの内容を復元可能な状態でメモリ３７に記憶する。なお、ここでオブジェクトの削除を行うか否かをユーザによって選択可能としてもよく、例えば、削除しないことを選択された場合には、新たなオブジェクトを待受画面に表示させずに終了してもよい。制御部３６は、ステップＳ２４の処理を行ったら、ステップＳ２６としてオブジェクトを表示する位置を登録する。つまりステップＳ２４でバックアップを行ったオブジェクトの表示位置を新規作成のオブジェクトの表示位置として登録する。制御部３６は、ステップＳ２６の処理を行ったら、本処理を終了する。ここで、複数枚の画像が一回の操作で撮影された場合（複写モード）撮影された画像に基づくオブジェクト（画像に対応付けられたオフジェクト）を登録する際には、１つのオブジェクトとして登録される。またその際には、オブジェクトに複数枚の画像が登録されている旨が表示される（図４中中央下参照）。
【００８７】
携帯電話機１は、このようにしてメモモードで画像を撮影したら撮影した画像データを対応付けたオブジェクトを自動的に作成する。このように、オブジェクトを作成することで待受画面の表示時（正確には待受画面にオブジェクトを重畳した画像の表示時）にオブジェクトを選択するだけで撮影した画像を表示させユーザが閲覧できる状態にすることができる。これにより、撮影した画像を画像フォルダから探す手間を省略することができる。また、待受画面ではなくオブジェクトで閲覧可能とすることで、不要な場合は表示させない状態にしつつ必要に応じてすぐに閲覧できる状態にすることができる。
【００８８】
また、撮影して記憶部３８が記憶した画像に対してショートカットを設定する場合は、画像フォルダから撮影した画像を探してショートカットを対応付ける処理を行う必要がある。これに対して、携帯電話機１は、撮影時に自動的にオブジェクトが作成されるため、ユーザによる操作の手間を低減することができる。また、撮影時にそのままオブジェクトを対応付ける処理を行えるため操作の負荷も少ない。
【００８９】
また、１つのオブジェクトに複数の画像を対応付けることで、オブジェクトを必要以上に増加することを抑制することができ、撮影画像を管理しやすくすることができる。また、オブジェクトの表示を、対応付けられた画像の枚数が認識できるようにすることで、ユーザは、オブジェクトの状態をより正確には把握することができる。なお、上記実施形態では「＋＋」の印（アイコン）７１を表示させたが、オブジェクトに複数の画像を対応付けている場合は、オブジェクトに対応付けた画像の枚数を数字で表示させてもよい。
【００９０】
また、オブジェクトを表示させる領域が残っていない場合は、任意のオブジェクトに代えて撮影した画像を対応付けたオブジェクトを表示させることで、オブジェクトの状態によらず本処理を行うことが可能となる。
【００９１】
なお、本実施形態では、メモモードで撮影した場合は、撮影した画像をオブジェクトに対応付けるようにしたがこれには限定されない。携帯電話機１は、ユーザが設定した任意の条件を満たす場合に撮影した画像を自動的にオブジェクトに対応付けることができる。撮影した画像をオブジェクトに対応付ける条件を、種々の設定とできることでユーザの所望する撮影画像を、単に画像を撮影するだけですぐに閲覧可能な状態で保存することができる。なお、本実施形態のようにメモモードや地図モードで撮影した場合は、オブジェクトに対応付けるようにすることで、撮影後参考のために閲覧する可能性が高い、メモや地図の画像を、オブジェクトを操作するのみで閲覧することが可能となる。
【００９２】
また、上記実施形態では、オブジェクトを対応付けるか否かを撮影時の条件に基づいて判定したが、撮影した画像を表示部１１に表示させている間（または画像を撮影した後かつ画像を記憶部３８に記憶させる前）のユーザの入力に基づいて判定してもよい。例えば、撮影した画像を表示部１１に表示させている状態で、メニューから項目を選択すること等によりオブジェクトに対応付ける操作が入力された場合、撮影した画像にオブジェクトを対応付けるようにしてもよい。このように、撮影した画像を表示部１１に表示させている間、つまり、撮影直後（画像を撮影した後かつ画像を記憶部３８に記憶させる前）にユーザによりオブジェクトを作成する操作が入力された場合、画像に対応するオブジェクトを作成することでも、簡単な操作でオブジェクトを作成することができる。また、撮影した画像を表示部１１に表示させている間に操作を入力するため、オブジェクトの作成時に対応付ける画像を画像フォルダ等から探す手間を省略することができる。
【００９３】
また、携帯電話機１は、撮影条件や、オブジェクトに対応付けることを決定した条件に応じて、対応付けるオブジェクトを選択するようにしてもよい。つまり、撮影条件毎に対応付けるオブジェクトを異なるオブジェクトとしてもよい。これにより、１つのオブジェクトに同じカテゴリーの画像を対応付けることができ、閲覧時に所望の画像を選択しやすくすることができる。
【００９４】
また、上記実施形態では、オブジェクトに対応付けた画像が複数枚ある場合は、記憶部３８に記憶されている画像データからオブジェクトが対応付けられた画像を抽出して表示させたがこれには限定されない。携帯電話機１は、記憶部３８に記憶されている画像データを順次表示させ、オブジェクトが対応付けられた画像はそのまま表示させ、オブジェクトが対応付けられていない画像は画像を読み込まず枠のみまたは塗りつぶし画像を表示させるようにしてもよい。このように、オブジェクトが対応付けられていない画像のみをそのまま画像として表示させることでも、対応付けられた画像を選択しやすくすることができる。
【００９５】
また、携帯電話機１は、一定の条件を満たしたら画像に対応付けられたオブジェクトを削除及び／または画像とオブジェクトとの対応付けの解除を行ってもよい。以下、図１０を用いて説明する。図１０は、携帯電話機の制御部が実行する処理手順を示すフロー図である。なお、図１０に示す処理は、制御部３６が記憶部３８に記憶されている各種プログラムを処理することで実行される。
【００９６】
まず、携帯電話機１の制御部３６は、ステップＳ３０としてメモ画像（オブジェクトが対応付けられた画像）の削除操作または削除条件に一致するかを判定する。メモ画像の削除操作とは、オブジェクトの表示時またはメモ画像の表示時にユーザにより入力される画像を削除する操作である。また、メモ画像の削除条件とは、予め設定された条件であり、メモ画像の閲覧回数（表示回数）、メモ画像の閲覧時間（表示時間）、オブジェクトを対応付けてからの経過時間等である。
【００９７】
制御部３６は、ステップＳ３０でメモ画像の削除操作及び削除条件のいずれにも一致しない（Ｎｏ）と判定したら、本処理を終了する。また、制御部３６は、ステップＳ３０でメモ画像の削除操作と削除条件の少なくとも一方と一致する（Ｙｅｓ）、つまり削除操作が入力されたまたは予め設定した削除条件を満たすメモ画像があると判定したら、ステップＳ３２として複数枚を示す印が表示されているかを判定する。つまり、制御部３６は、削除するメモ画像が対応付けられたオブジェクトが、複数のメモ画像が対応付けられたオブジェクトであるかを判定する。
【００９８】
制御部３６は、ステップＳ３２で複数枚を示す印が表示されている（Ｙｅｓ）、つまり削除するメモ画像に対応付けられたオブジェクトが複数のメモ画像が対応付けられたオブジェクトであると判定したら、ステップＳ３４として削除後のメモ画像の枚数は複数であるか、つまり、削除後でもオブジェクトに複数のメモ画像が対応付けられているかを判定する。制御部３６は、ステップＳ３４で削除後もメモ画像の枚数が複数である（Ｙｅｓ）と判定したらステップＳ３６として複数枚の表示のまま変更しない状態とする。つまり、オブジェクトに複数のメモ画像が対応付けられていることを示す印が表示された状態とする。また、制御部３６は、削除するメモ画像とオブジェクトとの対応付けを解除（解消）する。なお、制御部３６は、決定した削除方法によって、メモ画像とオブジェクトとの対応付けのみを解除し記憶部３８にはメモ画像を保存した状態を維持したり、メモ画像とオブジェクトとの対応付けを解除しかつ記憶部３８からもメモ画像を削除したりする。制御部３６は、ステップＳ３６の処理を終了したら本処理を終了する。
【００９９】
また、制御部３６は、ステップＳ３４で削除後はメモ画像の枚数が複数ではない、つまり１枚である（Ｎｏ）と判定したら、ステップＳ３８として１枚登録であることを示す表示に変更する。つまり制御部３６は、オブジェクトに複数のメモ画像が対応付けられていることを示す印を削除し、オブジェクトに対応付けられたメモ画像は１枚であることを示す状態とする。また、制御部３６は、削除するメモ画像とオブジェクトとの対応付けを削除（解消）する。制御部３６は、ステップＳ３８の処理を終了したら本処理を終了する。
【０１００】
また、制御部３６は、ステップＳ３２で複数枚を示す印が表示されていない（Ｎｏ）、つまり削除するメモ画像に対応付けられたオブジェクトが削除するメモ画像のみが対応付けられたオブジェクトであると判定したら、ステップＳ４０としてオブジェクト登録のバックアップがあるかを判定する。つまり、メモ画像を対応付けたオブジェクトの作成時に上述したステップＳ２４の処理を実行し、表示を削除（非表示に）したオブジェクトがあるかを判定する。
【０１０１】
制御部３６は、ステップＳ４０でバックアップあり（Ｙｅｓ）と判定したら、ステップＳ４２としてバックアップしてあった登録内容を再登録する。つまり、制御部３６は、メモ画像との対応付けが削除され対応付けられたメモ画像がなくなったオブジェクトを削除し、削除したオブジェクトに代えてバックアップしてあったオブジェクトを表示させる設定とする。これにより、待受画面に重畳して表示するオブジェクトを、メモ画像が対応付けられたオブジェクトを作成する前と同じ状態とすることができる。制御部３６は、ステップＳ４２の処理を終了したら本処理を終了する。
【０１０２】
制御部３６は、ステップＳ４０でバックアップなし（Ｎｏ）と判定したら、ステップＳ４４としてオブジェクトの登録を削除する。つまり、メモ画像が対応付けられたオブジェクトを削除する。制御部３６は、ステップＳ４４の処理を終了したら本処理を終了する。
【０１０３】
このように、メモ画像やメモ画像とオブジェクトとの対応付けが削除された場合、その動作に応じてオブジェクトを処理することで、オブジェクトの表示を適切に切り換えることができる。また、メモ画像が対応付けられたオブジェクトの削除時にバックアップしていたオブジェクトを再度表示させることで、ユーザがオブジェクトを再度登録する操作をすることなく、表示していたオブジェクトを登録し表示させることができる。
【０１０４】
また、削除条件を設定し、その削除条件を満たした場合、メモ画像やメモ画像とオブジェクトとの対応付けを解除することで、ユーザが操作しなくても不要なオブジェクトやメモ画像を削除することができる。なお、この場合、メモ画像とオブジェクトとの対応付けを解除し、メモ画像自体は記憶部３８に残すことが好ましい。これにより、使用頻度の少なくなった画像は、従来と同様の方法で閲覧できるようにすることができ、使用される可能性が高いメモ画像をオブジェクトに対応付けることができる。
【０１０５】
なお、上記実施形態では、待受画面プログラム３９（特に付加表示制御部３９ｂ）と、付加表示管理プログラム４０と、カメラプログラム４１と、の３つのプログラムを処理することで、携帯電話機１に動作を実行させたが、プログラムの数は限定されず、上記処理を１つのプログラムを処理することで実行させるようにしてもよい。また、上記実施形態では、待受画面の表示時に付加情報を表示させたが、付加情報を表示させる画面としては、標準画面であればいずれの画面であっても同様の処理を行うことができる。
【産業上の利用可能性】
【０１０６】
以上のように、本発明は、携帯端末装置に有用であり、特に、撮影した画像を閲覧することが必要な場合に適している。
【符号の説明】
【０１０７】
１  携帯電話機
１０  筐体
１１  表示部
１２  マイク
１３  レシーバ
１５  入力部
１５ａ  方向ボタン
１５ｂ  各種機能呼出ボタン
１５ｃ  数値入力ボタン
３１  カメラ
３２  通信部
３３  音声処理部
３６  制御部
３７  メモリ
３８  記憶部
３９  待受画面プログラム
３９ａ  待受画面制御部
３９ｂ  付加表示制御部
４０  付加表示データ管理プログラム
４１  カメラプログラム
４２  ブラウザプログラム
４３  画像データ
４４  付加表示データ
５１  待受画面
５２ａ〜５４ａ  オブジェクト
５２ｂ〜５４ｂ  絵文字
【図１】
2012095157.tif 000003
【図２】
2012095157.tif 000004
【図３】
2012095157.tif 000005
【図４】
2012095157.tif 000006
【図５】
2012095157.tif 000007
【図６】
2012095157.tif 000008
【図７】
2012095157.tif 000009
【図８】
2012095157.tif 000010
【図９】
2012095157.tif 000011
【図１０】
2012095157.tif 000012